(57)【要約】 【課題】首輪部に、外側に張り巡らした防水部と、先端に吸盤を備えた連結部を少なくとも２本以上取り付けることにより、ペットの洗浄を容易にすることを補助するだけでなく、そのシンプルでコンパクトな設計により、安価で且つ利用時以外は収納場所を選ばず、利用後の後始末も容易にする。 【解決手段】首輪部１２より、外側へ張り巡らした薄い防水部１３を有するペット洗浄補助具であって、更に、首輪部１２より、先端に吸盤１５を備えた、多少弾性のある棒状の連結部１４を、少なくとも二本以上左右に配置されるように取り付けられることを特徴とする。 【選択図】図３
2006197889.tif 000002
【特許請求の範囲】
【請求項１】
首輪部より、外側に張り巡らした薄い防水部を有するペット洗浄補助具であって、更に前記首輪部より、先端に吸盤を備えた連結部を取り付けられることを特徴とする前記ペット洗浄補助具。
【請求項２】
前記連結部は、前記ペット洗浄補助具をペットに装着した際、少なくとも２本以上左右に配置されるように、前記首輪部に取り付けられることを特徴とする請求項１記載のペット洗浄補助具。
【請求項３】
前記首輪部より、前記防水部か前記連結部の、いずれか片一方のみを取り付けられることを特徴とする請求項１、または２記載のペット洗浄補助具。
【請求項４】
請求項１、または２記載のペット洗浄補助具より、首輪部を取り除いたものであって、ペットの首部への脱着能力を有した防水部と、吸盤の付いていない端部に既存する首輪への脱着能力を有した連結部のみであることを特徴とするペット洗浄補助具。あるいはペットの首部への脱着能力を有した防水部か、吸盤の付いていない端部に既存する首輪への脱着能力を有した連結部の、いずれか片一方のみであることを特徴とするペット
洗浄補助具。
【発明の詳細な説明】
【技術分野】
【０００１】
本発明は、ペットの洗浄、美容を容易にすることを目的として使用するペット洗浄補助具に関する。   
【背景技術】
【０００２】
近年、ペットを室内で飼う人が多くなり、ペットの身体の汚れや臭いを落とし、また、ペットの身体に寄生したノミやダニを駆除するため、衛生面を考慮し、頻繁にペットを洗浄する必要性がでてきた。そこでペットを容易に洗浄するための、様々な発明がなされている。 
【０００３】
一例として、ペットを洗浄容器内に収容して、後は手を加えることなく、洗浄から乾燥まで一連の洗浄処理を自動的に機械が行うペット洗浄装置がある（特許文献１参照）。また、機械の力を利用せずペットの洗浄の際、ペットを洗浄容器内に収容して、ペットの動きを制約し、洗浄、乾燥、を人の手で行い易くするための装置もある（特許文献２参照）。更に、ペット洗浄の際は特許文献２の様に、ペット洗浄装置としての機能を有し、それ以外では動物運搬用ケースとしての機能をも果たすものもある（特許文献３参照）。
【０００４】
【特許文献１】特許第３５３２１９１号公報
【特許文献２】特開平１１−０７５６０１号公報
【特許文献３】特開２００３−２７４７８１号公報
【発明の開示】
【発明が解決しようとする課題】
【０００５】
上述の如く、ペットの体を覆ったり閉じ込めるといった発想の下で発明されたペット洗浄装置は、必然的に大型化、大重量化する傾向があり、装置の製造コストが高騰し、一般家庭での購入、設置が困難であるという問題があった。
【０００６】
また、仮に一般家庭で上記のペット洗浄装置を利用したとしても、ペットの体を覆ったり閉じ込めるといった発想のペット洗浄装置では、ペットに極度の不安感やストレスを与え、ペットの頭部へシャンプーや水分が飛散すれば暴れて抵抗し事故につながる危険性がある。
【０００７】
また、上記ペット洗浄装置は、その大型化、大重量化故に利用後の後始末が大変煩わしいものと考えられる。しかも利用時以外での上記ペット洗浄装置の収納場所確保にも頭を悩ますものであり、使用対象となるペットが中型、大型となれば、更に上記の問題点は深刻なものになる。
【０００８】
しかしながら、上記のペット洗浄装置を利用せず、従来のペットを浴室で洗浄する方法では、ペットが動いたり暴れたりする場合が多く、飼い主は常にペットの動きを片手で制しておかなくてはならず、両手が自由に使えなかった。結果、洗浄は雑になり、シャンプーや水分がペットの頭部に飛散し、更にペットの抵抗を増長させ、洗浄に膨大な時間と手間が係り、ペットにも飼い主にも洗浄という行為が煩わしいものとなり、シャンプーの濯ぎも中途半端となる、延いては自らの体を舐めるペットの健康をも阻害していた。
【０００９】
本発明は、上記の点に鑑みて成されたものであり、その目的は、首輪部に、外側に張り巡らした防水部と、先端に吸盤を備えた連結部を少なくとも２本以上取り付けることにより、ペットの洗浄を容易にすることを補助するだけでなく、そのシンプルでコンパクトな設計により、安価で且つ利用時以外は収納場所を選ばず、利用後の後始末も容易にすることができるようにすることにある。
【課題を解決するための手段】
【００１０】
上述の目的を達成する本発明のペット洗浄補助具は、首輪部より、外側に張り巡らした薄い防水部を有するペット洗浄補助具であって、更に前記首輪部より、先端に吸盤を備えた連結部を取り付けられることを特徴とする。
【００１１】
好適には、前記連結部は、前記ペット洗浄補助具をペットに装着した際、少なくとも二本以上左右に配置されるように、前記首輪部に取り付けられる。なお、前記首輪部より、前記防水部か前記連結部の、いずれか片一方のみが取り付けられたペット洗浄補助具でもよい。
【００１２】
変形例として、前記ペット洗浄補助具より、首輪部を取り除いたものであって、ペットの首部への脱着能力を有した防水部と、吸盤の付いていない端部に既存する首輪への脱着能力を有した連結部のみであることを特徴とするペット洗浄補助具があり、ペットの首部への脱着能力を有した防水部か、吸盤の付いていない端部に既存する首輪への脱着能力を有した連結部の、いずれか片一方のみのペット洗浄補助具でもよい。 
【発明の効果】
【００１３】
以上説明したように本発明によれば、首輪部より外側へ張り巡らした薄い防水部を備えることにより、ペット洗浄の際、ペットの頭部へシャンプーや水分が飛散した際のペットの不快感や、それに伴うペットの抵抗を防止し、更に前記首輪部より、先端に吸盤を備えた連結部を、例えば浴室の壁面へ二ヶ所固定させることにより、ペットの無駄な動きや抵抗を抑制することができ、飼い主はペットを抑える必要がなくなり、自由に両手が使えるようになる。延いてはペットの洗浄から乾燥まで一連の洗浄処理を快適、且つ容易にすることが可能となる。
【００１４】
また、本発明の最大の利点は、上記の如く、シンプルでコンパクトな設計により、使用対象となるペットの小型、中型、大型などのサイズを問わず、利用時以外の収納場所が最小限で済み、利用後の後始末も容易であり、且つ安価なコストを可能にしたことにある。ペットとしても物々しい装置に覆われたり閉じ込められたりするよりかは、精神的にも肉体的にもストレスは軽減されると推測できる。 
【発明を実施するための最良の形態】
【００１５】
以下、本発明の実施の形態を図面に基づき詳細に説明する。
【００１６】
図１〜図３は本発明の第一の実施の形態に係り、図１はその正面図、図２はその斜視図、図３はその使用方法を示す説明図である。
【００１７】
図１、図２に示すように、本ペット洗浄補助具１１は、首輪部１２にペットの首部に適合するように調節でき、首輪部１２を環状にする接続部１６と、首輪部１２の外側へ張り巡らした薄い防水部１３と、先端に吸盤１５を備えた連結部１４を取り付けたものである。
【００１８】
ペット洗浄補助具１１は、ペット洗浄の際、ペットの首部に装着し、連結部１４を例えば浴室の壁面に吸盤１５で固定して、ペットの洗浄を行うので、水やシャンプーに晒される事が前提とされる、故に使用条件を考慮して、ペット洗浄補助具１１を形成する全ての部材は、耐水性のある素材を用いるのが最適である。
【００１９】
防水部１３は、首輪部１２に取り付けられており、首輪部１２をペットの首部に適合調節した際、首輪部１２の円周は縮小し、それに伴い防水部１３は偏平逆立ち円錐状に変形される事が前提とされる、故に防水部１３は耐水性に加え、弾性のある素材で薄型に形成されるのが最適である。
【００２０】
連結部１４は、ペット洗浄補助具１１をペットに装着した際、ペットの首部より左右に計２本配置されるように、首輪部１２へ左右計２本取り付けられる。又連結部１４は、ペット洗浄補助具１１を使用の際、例えば浴室の壁面に吸盤１５の付いた端部で二ヶ所固定し、ペットの左右、前後の動きを制約するためのものであり、好適には連結部１４は、首輪部１２よりペットの頭部をまたいで、吸盤１５の付いた端部が壁面に二ヶ所固定された際、ペットの頭部が壁面に当たらず、しかもペットの動ける移動範囲が広がり過ぎない程度の長さであり、耐水性に加え、多少弾性のある素材で棒状に形成されるのが最適である（図３参照）。
【００２１】
図１〜３では、防水部１３、連結部１４は、首輪部１２に対し一例として金属製あるいはプラスチック製の留め具１７で固定されているが、固定方法はこれに限らず、耐水性のある接着剤などを用いてもよい。又、連結部１４と吸盤１５、首輪部１２と接続部１６も同様である。更に、防水部１３と連結部１４に限っては、首輪部１２に対し、ボタンなどの脱着可能な固定方法を用いてもよい。
【００２２】
ペット洗浄補助具１１は、ペットに装着の際、形状の理由により、首輪部１２の経口の許容範囲は限定されている。従って、小型、中型、大型ペット用と、使用するペットの大きさに応じて、サイズにバリエーションを設けることが最適である。
【００２３】
図４は、本発明の第二の実施の形態に係るペット洗浄補助具２１の外観斜視図である。同図に示すように、本形態に係るペット洗浄補助具２１では、本発明の第一の実施の形態より、首輪部１２は省かれている。そのため防水部１９はドーナツ型となり、ペットに装着の際は二つの半径に沿った両端部付近を重ね合わせ、偏平逆立ち円錐状となり、前記両端部付近の重ね合わされる部分には、一例として脱着可能なボタンや、図４に示すようなマジックテープ（登録商標）１８を設け固定する。次に二つの連結部２０は、吸盤１５の付いていない端部を既存する首輪へ挿入し、折り返すようにして重ね合わさる部分に、図４で示すような素材の形状復元力を利用した脱着可能なはめ込み式の形状２２を設け既存する首輪に固定する。上記の様にすることで本発明の第二の実施の形態は、既存する首輪を利用することにより、本発明の第一の実施の形態と、同じ機能を得ることが可能であり、部品数が減ることにより更なるコンパクトさ、安価なコストを可能とする。
なお、上記防水部１９と連結部２０の固定方法は、これに限定されるものではない。
【００２４】
本発明の第一の実施の形態では、使用対象となる様々なペットの特性を考慮し、首輪部１２より、防水部１３か連結部１４の、いずれか片一方のみを取り付けたのもでもよい。又、本発明の第二の実施の形態でも同様で、防水部か連結部のいずれか片一方のみでもよい。
【００２５】
以上、本発明の実施の形態例を説明したが、本発明の範囲はこれに限定されるものではない。例えば、防水部の形状や色を、その機能を損なわない程度に遊び心を加え、視覚的に楽しくなるようなデザインにし、バリエーションを設けることも可能である。
【００２６】
また、連結部は、ペット装着時に首部より左右に配置されるよう二本だけとは限らず、複数に取り付けるようにしてもよい。連結部の数が多い程、使用時にペットへの拘束力が上がるからである。
【００２７】
更に本発明は、ペットの洗浄補助具として説明しているが、利用用途はこれに限られるもではなく、ペットの美容や散髪時に、ペットの動きを制約するものとしても用いることが可能である。     
【図面の簡単な説明】
【００２８】
【図１】本発明の第一の実施の形態に係るペット洗浄補助具の外観正面図である。
【図２】図１のペット洗浄補助具の外観斜視図である。
【図３】図１のペット洗浄補助具の使用方法を示す説明図である。
【図４】本発明の第二の実施の形態に係るペット洗浄補助具の外観正面図である。
【符号の説明】
【００２９】
１１、２１  ペット洗浄補助具     
１２  首輪部     
１３、１９  防水部     
１４、２０  連結部     
１５  吸盤     
１６  接続部
１７  留め具
１８  マジックテープ（登録商標）
２２  はめ込み式の端部    
【図１】
2006197889.tif 000003
【図２】
2006197889.tif 000004
【図３】
2006197889.tif 000005
【図４】
2006197889.tif 000006